(57)【要約】【課題】  掛けたハンガーの回転や移動を防ぐとともに、竿掛けから落ちるおそれのない物干し竿を提供する。【解決手段】  竿と滑り止め部材を備え、竿の長手方向にわたって３つ以上の溝を設けてあり、滑り止め部材は、竿の溝に取り付けてあり、竿の外周から突出する軟質の変形自在部を長手方向に沿って有し、少なくとも２箇所の滑り止め部材がハンガーと当接し、少なくとも２箇所の滑り止め部材が竿掛けと当接することを特徴とする物干し竿。【選択図】      図１
2019187960.tif 000002
【特許請求の範囲】
【請求項１】
竿と滑り止め部材を備え、
竿の長手方向にわたって３つ以上の溝を設けてあり、
滑り止め部材は、竿の溝に取り付けてあり、竿の外周から突出する軟質の変形自在部を長手方向に沿って有し、少なくとも２箇所の滑り止め部材がハンガーと当接し、少なくとも２箇所の滑り止め部材が竿掛けと当接することを特徴とする物干し竿。
【発明の詳細な説明】
【技術分野】
【０００１】
本発明は、物干し竿に関する。
【背景技術】
【０００２】
従来の物干し竿は、図４に示すように、ハンガーとは物干し竿の上端部のみにおいて当接し、竿掛けとは物干し竿の下端部のみにおいて当接している。また、物干し竿の材質が金属等である場合は、表面の摩擦が小さい。このような構成であるので、風や振動等によって竿が竿掛け上で揺動あるいは回動したり、竿に掛けたハンガーが掛けた位置から竿の長手方向に摺動したり、回動したりする蓋然性が高い。このような状態であると、干した洗濯物がハンガーとともに移動して洗濯物同士が密集し、洗濯物間の風通しが悪くなって乾きづらくなったり、ハンガーの回転によってハンガーや洗濯物が落下したり、または、竿自身が竿掛けから外れ落下してしまう虞がある。
【発明の概要】
【発明が解決しようとする課題】
【０００３】
本発明は上記課題に鑑み、掛けたハンガーの回転や移動を防ぐとともに、竿掛けから落ちる虞のない物干し竿を提供することを目的とする。
【課題を解決するための手段】
【０００４】
本発明の物干し竿は、竿と滑り止め部材を備え、竿の長手方向にわたって３つ以上の溝を設けてあり、滑り止め部材は、竿の溝に取り付けてあり、竿の外周から突出する軟質の変形自在部を長手方向に沿って有し、少なくとも２箇所の滑り止め部材がハンガーと当接し、少なくとも２箇所の滑り止め部材が竿掛けと当接することを特徴とする。
【発明の効果】
【０００５】
本発明によれば、物干し竿が変形自在部を有する滑り止め部材を備え、少なくとも２箇所の滑り止め部材がハンガーと竿掛けにそれぞれ当接しているので、ハンガーが回転したり竿の長手方向に移動したりせず、洗濯物の密集を防ぐことが可能であるため、洗濯物間の風通しが良く、洗濯物を効率的に乾かすことができる。また、強風時にもハンガーが物干し竿から落下せず、物干し竿が竿掛けから落ちない。
【図面の簡単な説明】
【０００６】
【図１】(ａ)は図２のＡ−Ａ線断面図であり、(ｂ)は図２のＢ−Ｂ線断面図である。
【図２】本発明の物干し竿を竿掛けに掛けた状態を示す正面図である。
【図３】(ａ)は物干し竿の断面図であり、(ｂ)は滑り止め部材の断面図である。
【図４】(ａ)(ｂ)は、従来の物干し竿の断面図である。
【発明を実施するための形態】
【０００７】
以下、本発明の実施の形態を図面に基づいて説明する。図１は、本発明の物干し竿にハンガー４を掛けた状態の断面図（ａ）と、本発明の物干し竿を竿掛け５に掛けた状態の断面図（ｂ）を示している。以下、竿１の構成について説明する。
【０００８】
図１乃至図３に示すように、物干し竿は、竿１と、滑り止め部材２０から構成されている。
竿１は、中空の略円筒状であり、外周面の長手方向にわたって３本の溝３，３，３が等間隔で配設されている。また、溝３には、滑り止め部材２０が取り付けられている。
【０００９】
前記溝３は竿１の外周側に設けられた幅広部３ａと、内周側に設けられた取付部３ｃと、前記両者の中間に開口部３ｂを有している。
幅広部３ａは、竿１の表面に設けられた断面矩形状の凹部である。幅広部３ａの底面と取付部３ｃの間には、滑り止め部材２０を竿１に嵌合させるための開口部３ｂが設けてある。
取付部３ｃは、前述の幅広部３ａよりも竿１の内周側に設けられた、断面矩形状の空間である。取付部３ｃは、竿１の内部に食い込んでいるため、滑り止め部材２０を溝３に取り付けた際には後述の硬質部２２の上辺２２ａによって隠蔽される。
開口部３ｂは、幅広部３ａと取付部３ｃの間に位置していて、開口部３ｂを介して、幅広部３ａと取付部３ｃが連結している。開口部３ｂの幅は、後述する硬質部２２の下辺２２ｃが取付部３ｃより脱落するのを防ぐため、下辺２２ｃの幅よりも短くなっている。
【００１０】
図１乃至図３に示すように、滑り止め部材２０は、竿１の内周側の硬質部２２と、竿１の外周側の変形自在部２１から構成されている。
硬質部２２は、硬質の材質からなる断面略エの字状の部材であり、竿の外周側に位置する上辺２２ａと、竿の内周側に位置する下辺２２ｃと、上辺２２ａと下辺２２ｃを連結する連結部２２ｂから構成されており、前記上辺２２ａの外周側には変形自在部２１が形成されている。
【００１１】
前記変形自在部２１及び上辺２２ａは幅広部３ａに配置され、連結部２２ｂは開口部３ｂに嵌装されており、硬質部２２の下辺２２ｃは取付部３ｃ内に納まっている。
上辺２２ａの幅は、後述の変形自在部２１の変形前の幅と同じであって、下辺２２ｃの幅よりも大きい。また、溝３の幅広部３ａの幅よりも小さいので、上辺２２ａの周方向の両端部と幅広部３ａの両端部内壁との間には隙間６，６を有する。
下辺２２ｃの幅は、竿１への取り付けやすさを考慮して取付部３ｃの幅よりもやや小さく形成されている。
このように、溝３の開口部３ｂに連結部２２ｂを嵌装することによって、幅広部３ａに変形自在部２１及び上辺２２ａが、取付部３ｃに下辺２２ｃが竿１の長手方向にわたってそれぞれ配設される。
【００１２】
変形自在部２１は、ゴムや軟質プラスチックのような表面の摩擦力が大きく弾力性を有する材質で形成してあることが望ましく、断面コの字状であってコの字型の開口面を硬質部２２に対して伏せた状態で硬質部２２の上辺２２ａと連結することで内部に空洞２１ａが形成されており、また、竿１の外周側に位置する２つの角は丸くなった断面を有している。
変形自在部２１の高さは幅広部３ａの高さよりも高く、変形自在部２１の上部は竿１の外周から突出している。変形自在部２１が取り付けられる幅広部３ａの幅は、変形自在部２１の幅よりも広いため、両者間には竿１の円周方向両端部において隙間６，６を有する。
変形自在部２１は、軟質で中心部が空洞２１ａになっていることから、図１のように物干し竿の外周側からハンガー４及び竿掛け５による力が加わった際には、押し潰されてハンガー及び竿掛け５との当接部分が図２に示すように凹み、潰れ代は隙間６内に納まる。このとき、変形自在部２１の幅は変形前と比べて広くなるが、押し潰された変形自在部２１の両端が幅広部３ａの凹部両端の内壁に当接すると、変形自在部２１はそれ以上変形することができなくなる。つまり、隙間６を適切な幅に設けることで、変形自在部２１が押し潰された際の変形量を、変形自在部の上部が竿１よりもやや突出した状態となるよう規制することができる。したがって、物干し竿が竿掛け５及びハンガー４に当接した際にも、変形自在部が竿１の外周面よりも内周側に納まってしまうことがないので、物干し竿は変形自在部２１，２１において竿掛け５及びハンガー４に対し常に反発力を有しながら当接している状態となる。
また、変形自在部２１は、図１のようにハンガー４及び竿掛け５と当接した部分がハンガー４及び竿掛け５に沿う形状に変化するので、ハンガー４及び竿掛け５と物干し竿との当接面が大きくなり、両者間の摩擦力を大きくすることができる。
【００１３】
物干し竿は、ハンガー４を物干し竿に掛けた際には、少なくとも２本の変形自在部２１においてハンガー４と当接し、物干し竿を竿掛け５に掛けた際には、少なくとも２本の変形自在部２１において竿掛け５と当接する。
【００１４】
次いで、本発明の物干し竿の構成による作用及び効果について説明する。  本発明の物干し竿は、竿１が長手方向にわたって有する等間隔の３本の溝３に取り付けられた滑り止め部材２０のうち、ゴムや軟質プラスチックのような表面の摩擦力が大きく弾力性を有する材質で形成された中空の変形自在部２１が竿１の外周面から突出していて、物干し竿を竿掛け５に掛け、ハンガー４を物干し竿に掛けた際には、変形自在部２１のハンガー４及び竿掛け５との当接部が凹み、ハンガー４及び竿掛け５の形状に沿って変形する。このような構成により、ハンガー４及び竿掛け５は変形自在部２１の凹みによって保持され、またハンガー４及び竿掛け５と物干し竿との当接面が大きくなり、摩擦力も大きくなるため、ハンガー４が物干し竿の長手方向に摺動することがないので、洗濯物が密集することなく乾きが良くなり、また物干し竿が長手方向に竿掛け５上を摺動することもない。
またこのとき、変形自在部２１と幅広部３ａの間に隙間６が適切な幅に設けられていることで、変形自在部２１はその上部が竿１よりもやや突出した状態となるよう変形量を規制されている。このような構成により、物干し竿がハンガー４及び竿掛け５に当接した際に、変形自在部２１が竿１の外周面よりも内周側へと納まってしまうことがないので、物干し竿は変形自在部２１においてハンガー４及び竿掛け５に対し常に反発力を有しながら当接している状態となる。これにより、ハンガー４及び竿掛け５と物干し竿との摩擦力が保たれる。
【００１５】
また滑り止め部材２０は、竿１の外周に沿って等間隔に３本設けてあれば、物干し竿にハンガー４を掛けた際、少なくとも２本の滑り止め部材２０がハンガー４に当接することで、ハンガーが２点で支持されるため、ハンガーが竿１の外周に沿って回転するのを防ぐことができ、また、摩擦力も大きくなるため、ハンガー４の物干し竿の長手方向の摺動を防ぐことができるので、洗濯物が密集することなく乾きが良くなる。また、物干し竿を竿掛け５に掛けた際には、少なくとも２本の滑り止め部材２０が竿掛けに当接することで、物干し竿が２点で支持されるため、物干し竿が竿掛け５上で揺動あるいは回動するのを防ぎ、また、摩擦力も大きくなるため、物干し竿が落下したり、ハンガー４が物干し竿から落下したりするのを防ぐことができる。
【００１６】
また、滑り止め部材２０の硬質部２２は溝３の中に納まっており、変形自在部２１のみが竿１の外周面から突出している。そして、変形自在部２１の潰れ代は隙間６内に納まるので、潰れ代が竿１の外周面よりも外周にはみ出すことがない。このような構成であるから、物干し竿の外観上において滑り止め部材が目立たず見栄えが良く、意匠性に優れる。
【００１７】
本発明は、上記実施形態に限定されない。例えば、竿に設ける溝は４本以上であってもよく、また、変形自在部は中空でなくともよく、スポンジのような変形しやすい軟質の材質で形成されていてもよい。
【符号の説明】
【００１８】
１    竿
２０  滑り止め部材
２１  変形自在部
３    溝
４    ハンガー
５    竿掛け
【図１】
2019187960.tif 000003
【図２】
2019187960.tif 000004
【図３】
2019187960.tif 000005
【図４】
2019187960.tif 000006